(57)【要約】      （修正有）【課題】日付の並び順が断絶することなしに、数か月分の日付が連続して表示される壁掛けカレンダーを提供する。 【解決手段】日付の並び順を左から右へ、一段上がって、左から右へという規則で表記し、カレンダーの葉と葉を連結して表示するカレンダーとした。 【選択図】図５
2009006670.tif 000002
【特許請求の範囲】
【請求項１】
一冊に綴られ、上部に穴や吊具を装備した吊り下げる形式の、毎月めくりの壁掛けカレンダーにおいて、
葉の上部に七曜の名称を順に左から右に表記し、
月の日付の一日から月末までを順に、前記七曜の名称の表記に合わせてその鉛直下方に、左から右方向に記載し、
次の週の日付を前の週の日付の上段に、同様に左から右方向に記載するように日付を配置したことを特徴とする壁掛けカレンダー。
【請求項２】
前記記載される日付に、前月及び翌月の日付を含めたことを特徴とする請求項１記載の壁掛けカレンダー。
【請求項３】
前記壁掛けカレンダーの表面から第１番目の葉を剥ぎ取って、該第１番目の葉の上部を前記壁掛けカレンダーの表面から第２番目の葉の下部と重ね合わせたときに、日付の順番が前記第１番目の葉から前記第２番目の葉に連続して表記されることを特徴とする請求項１又は請求項２記載の壁掛けカレンダー。
【請求項４】
前記壁掛けカレンダーの葉の上部に切り込みを設け、葉の下部に葉の上部に設けた切込みと契合する切込みを設け、切り込み相互を契合させることで葉と葉を連結させたことを特徴とする請求項１又は請求項２記載の壁掛けカレンダー。
【請求項５】
前記壁掛けカレンダーの葉の上部あるいは下部にあらかじめ剥離紙付き接着剤を装着し、葉と葉を接着剤で張り付けて連結させたことを特徴とする請求項１又は請求項２記載の壁掛けカレンダー。
【発明の詳細な説明】
【技術分野】
【０００１】
本発明は、毎月めくりの壁掛けカレンダーに関するものである。
【背景技術】
【０００２】
従来の壁掛けカレンダーは、日めくり、週めくり、毎月めくり、二ヶ月めくり、あるいは三ヶ月めくりのカレンダーがあり、その各葉に日付や曜日や陰陽や歳時記等が記載されている。いずれも記載されている日付が現在時点を過ぎたときに、表面の一葉を切り離すか、めくるかして次の一葉を表面に出すような形式になっている。ここで、日めくり、週めくり、二ヶ月めくり、三ヶ月めくりは除外して、毎月めくりの壁掛けカレンダーについて記述する。  従来の毎月めくりのカレンダーはいずれも葉の上部に七曜の名称を順に左から右に表記している。そして、月の日付の一日から月末までを順に、前記七曜の名称の表記に合わせてその鉛直下方に、左から右方向に記載し、右端まで表記されると、次の週の日付を前の週の日付の下段に、同様に左から右方向に記載するように日付を配置している。つまり、日付は一日から順に、「左から右へ、一段下がって、左から右へ、」という規則に従って月末まで表記されている。図８に従来の壁掛けカレンダーを提示したが、例えばカレンダーの６月17日の翌日の６月１８日は、６月１７日の位置から見て、一段下がって、左端に表記されている。また、図８のように従来のカレンダーは表面の一葉のみが表示されている。また、図９は従来のカレンダーの葉と葉を連結させてみた図であるが、５月３１日の翌日である６月１日は、「左から右へ、一段下がって、左から右へ、」という規則に従わず、かなりかけ離れた位置に表示されている。 
【発明の開示】
【発明が解決しようとする課題】
【０００３】
前記した従来の毎月めくりの壁掛けカレンダーにあっては次のような問題点がある。
【０００４】
（１）現在日の日付がカレンダーの表面の一葉に記載されている日付の終わりに近づくと、次の一葉を見る機会が多くなる。そのとき、カレンダーに近づいて表面の一葉をめくって、次の一葉を見なければならない不便さがある。                                またその不便さを防ぐために、表面の一葉の隅に次の一葉のカレンダーを小さく掲載しているカレンダーもある。しかし、小さく掲載されたカレンダーは文字が小さくて見づらい。
【０００５】
（２）慣れてしまって気づきかないことだが、大きな不便さがある。日付の表記が「左から右へ、一段下がって、左から右へ、」という規則に従っているため、日付の順序が途切れることである。具体例でいうと、月末になって最下列に位置した日付が、翌月の一日の日付を見ると最上列に位置している点にある。つまり、日付の数字の並び方がそこで飛び離れ断絶している点にある。
【０００６】
（３）従来の毎月めくり壁掛けカレンダーは、紙を重ね合わせた状態から一枚ずつ剥ぎ取るかめくるかして、利用している。つまり、紙の都合でカレンダーの日付が途切れるという弱点がある。仮に、長い巻紙やトイレットペーパーのようなロール状の紙にカレンダーの日付を連続して印刷できればそのような弱点を解消することができる。しかし、現時点でそのようなことは、印刷技術やコストの問題で困難と思われる。 
【課題を解決するための手段】
【０００７】
上記のような課題を解決するために、本発明のカレンダーは図１に表すように、葉の上部に七曜の名称を順に左から右に表記し、
月の日付の一日から月末までを順に、前記七曜の名称の表記に合わせてその鉛直下方に、左から右方向に記載し、
次の週の日付を前の週の日付の上段に、同様に左から右方向に記載するように日付を配置した。
また、別な形態の本発明のカレンダーは図２に表すように、図１で表された日付の配置に加えて、日付記載欄の月初と月末の空白部分に、前月及び翌月の日付を含めて配置した
。 
そして、カレンダーの葉と葉を連結して使用することで、用紙の断絶による日付の並び順の断絶が発生しないようにした。     
【発明の効果】
【０００８】
本発明の壁掛けカレンダーは以上説明したようになるから次のような効果を得ることができる。
【０００９】
（１）本発明のカレンダーは図４に表すように、カレンダーの葉の上部に切り込み３を設け、葉の下部に葉の上部に設けた切込みと契合する切込み４を設け、切り込み相互を契合させることで葉と葉を連結させることができる。または、図７に表すように、カレンダーの葉の上部あるいは下部にあらかじめ剥離紙付き接着剤１３を装着し、葉と葉を接着剤で張り付けて連結させることができる。葉と葉をいくつでも連結して壁から吊るすことができる。連結することで、紙の都合でカレンダーの日付が途切れるということがなくなる。同時に、現在月や、過去、将来の数ヶ月分の日付を壁面に表示できるので、カレンダーに近づき、腕を伸ばし、表面の一葉をめくって、次の一葉を見る必要がなくなる。つまり、毎月めくりのカレンダーであるが、二ヶ月から数ヶ月を表示する壁掛けカレンダーとして利用でき便利である。
具体的には、図１や図２は本発明の毎月めくりの壁掛けカレンダーであるが、図３、図４、図５や図６に表すように数ヶ月の日付を表示できる壁掛けカレンダーとして利用することができる。
【００１０】
（２）本発明のカレンダーは、一つの葉の隅に前後の葉のカレンダーを小さく掲載したりする必要がなく、印刷のインキ量や紙面のスペースを節約することができる。つまり、図３の本発明の壁掛けカレンダーに表されるように、例えば現時点が１２月とすれば、前後の葉は同時に壁面に表示することができることからである。
【００１１】
（３）図３や図４の本発明の実施例のカレンダーのように、葉と葉を連結して用いることと、前記のように日付の数字の並べ方を変えたことによって、日付の順序が途切れることがない。
具体的に図３において、１１月３０日の翌日の１２月１日は、間に七曜の名称表示が入るが、日付の順序が「左から右方向に記載し、次の週の日付を前の週の日付の上段に、同様に左から右方向に」と連続して途切れずに表示されている。
あるいは図４において、１月２７日の翌日の１月２８日は、日付の順序が「左から右方向に記載し、次の週の日付を前の週の日付の上段に、同様に左から右方向に」と連続して途切れずに表示されている。
しかし従来のカレンダーである図９における５月３１日の翌日の６月１日は日付の数字の並び方がとぎれている。
（４）本発明のカレンダーでは図３、図４、図５や図６に表示されるように、将来の日付は常に現在の日付より上方に表示され、過去の日付は常に現在の日付より下方に表示される。つまり、日付の並び方が「左から右方向に記載し、次の週の日付を前の週の日付の上段に、同様に左から右方向に」と断絶することなく並ぶので、見やすく判り易くなる。
【００１２】
（５）本発明のカレンダーは、見やすく判り易く、日付が途切れない表記方法、と数ヶ月分の日付が一面で表される表示方法となるので、ビジネスや生活における締切日や予定日までの残日数が一目で分かるようになる。
【００１３】
（６）本発明のカレンダーにおいて、図６に表されるように、本年使用と同じタイプのものを翌年も使用することで、年度を越えて連続したカレンダーを見ることができる。
【００１４】
（７）一般的に、強いもの、偉いもの、価値あるもの、未来、明日などは上方あるいは前方にあり、その反対の意味のものは下方あるいは後方にあると認識されている。また、図や表を表す時にそのように表した方が解り易い。本発明のカレンダー表記方法も図３、図４、図５や図６に表されるように未来が上方に表記され、過去が下方に表記されるため一般認識と合致して理解され易い。
【発明を実施するための最良の形態】
【００１５】
以下図面を参照にしながら本発明の好適な実施の形態を詳細に説明する。
【実施例】
【００１６】
（１）図１は本発明の壁掛けカレンダーの斜視図である。吊り下げ装置１によって壁に吊り下げることができる。葉の上部に七曜の名称６を順に左から右に表記し、月の日付の一日から月末までを順に、前記七曜の名称６の表記に合わせてその鉛直下方に、左から右方向に記載し、次の週の日付を前の週の日付の上段に、同様に左から右方向に記載するように日付を配置した壁掛けカレンダーである。具定例で述べると、図１の１月６日の翌日１月７日は次の週となり、１月６日より上段に記載されている。
【００１７】
（２）図２は別の形態の本発明の壁掛けカレンダーの斜視図である。吊り下げ装置１によって壁に吊り下げることができる。葉の上部に七曜の名称６を順に左から右に表記し、日付７、８、９を順に、前記七曜の名称６の表記に合わせてその鉛直下方に、葉の左端から右方向に記載し、次の週の日付を前の週の日付の上段に、同様に左から右方向に記載するように日付を配置した壁掛けカレンダーである。ここでは前月の日付７と翌月の日付９も含めて記載されているのが特徴である。具体的にはこの葉の場合、１月の葉に１２月３１日の日付と２月１、２、３日が記載されている。
【００１８】
（３）図３、図４の本発明の壁掛けカレンダーは、表面から第１番目の葉１５を剥ぎ取って、該第１番目の葉の上部を前記壁掛けカレンダーの第２番目の葉１６の下部と重ね合わせたときに、日付の順番が前記第１番目の葉１５から前記第２番目の葉１６に連続して表記された壁掛けカレンダーである。
具定例で述べると、図３において、１１月３０日の翌日の１２月１日は、間に七曜の名称表示が入るが、日付の順番が「左から右方向に記載し、次の週の日付を前の週の日付の上段に、同様に左から右方向に」と、第１番目の葉１５から第２番目の葉１６に連続して途切れずに表記されている。このことで、日を追ってカレンダーの日付を見るときに見易いカレンダーであると言える。
従来の壁掛けカレンダーの葉と葉を連結した斜視図である図９と比較してみるとよく判る。図９において、４月３０日の翌日の５月１日は、日付の順番が第１番目の葉１５から第２番目の葉１６に連続していない。
尚、図３の形態のカレンダーの場合には七曜の名称６の文字は小さい文字、もしくは薄い色の文字で表記すると、日付の連続性が目で見てさらに分かり易くなる。
同様に具体例で述べると、図４において、１月２７日の翌日の１月２８日は、葉の違いがあるにもかかわらず、日付の順番が「左から右方向に記載し、次の週の日付を前の週の日付の上段に、同様に左から右方向に」と、第１番目の葉１５から第２番目の葉１６に連続して途切れずに表記されている。このことで、日を追ってカレンダーの日付を見るときに見易いカレンダーであると言える。
【００１９】
（４）図４は本発明の壁掛けカレンダーであり、葉の上部には切り込みＡ３を設け、葉の下部に葉の上部に設けた切込みＡと契合する切込みＢ４を設け、切り込み相互を契合させることで葉と葉を連結させている。つまり、切り込みＡと切り込みＢが噛合った部分５において二枚の葉が連結されている。切り込みＡ３と切り込みＢ４は契合する形状と位置であれば、切り込みの数と形状はいかなるものでもよい。
【００２０】
図２の本発明の壁掛けカレンダーの表面の一葉を切り取り線２で切り取り、次に現れた表面の葉の下部に切り込みＡ３と切り込みＢ４を利用して連結するだけで図４に表されるカレンダーの状態を作り出すことができる。葉と葉はカレンダーの用紙が丈夫であれば何枚でもつなげて連結して用いることができる。この切り込みを利用する方法は、接着剤や糊、ホッチキスなどの材料や道具を用いずに、その場で、素手で、葉と葉を連結することができ、便利で経済的である。
【００２１】
（５）図２、図３、図４、図５、及び図６に表される、前月の日付７と翌月の日付９の数字の色は当月の日付８の数字の色と違えると見やすい。日付７および９は破線で数字が書かれているが、日付８と色が異なることを意味している。また、七曜の名称６は左端より月曜日から始まっているが、日曜日から始まってもよい。あるいは、金曜が休日のイスラム国家のように、左端より金曜日や土曜日で始めてもよい。
【００２２】
（６）図３は本発明の壁掛けカレンダーの、２００７年１２月中頃の使用中の状態の斜視図である。葉の上部あるいは下部にあらかじめ剥離紙付き接着剤を装着し、葉と葉を接着剤で張り付けて連結させた壁掛けカレンダーである。ホッチキスやクリップなどの機械的な連結方法であってもよいが、あらかじめ剥離紙付き接着剤を装着していれば道具や部品を必要としないので、便利である。
【００２３】
（７）図７は本発明の壁掛けカレンダーにあらかじめ剥離紙付き接着剤を装着した様子を表している。葉の裏面下部に剥離紙付き接着剤を装着している。接着は葉の下部と下に位置する葉の上部とを接着するので、剥離紙付き接着剤の装着位置は葉の上部あるいは下部とのどちらか一方にあればよい。また、接着は葉の表面と葉の裏面とを接着するので、剥離紙付き接着剤の装着位置は葉の表面あるいは裏面のどちらか一方にあればよい。接着剤の量と箇所数はカレンダー用紙を連結するに十分な程度でよい。
【００２４】
（８）本発明のカレンダーは図３、図４、図５や図６に表されるように、数ヶ月分の日付を連続して壁面に表示して使用することで効果を発揮する。数ヶ月分の日付が壁面に表示されているので、翌月や前月の日付を見るために立ち上がり、近づき、手を伸ばして、葉をめくって見るような必要がない。また、前後の月のカレンダーを葉の隅に小さく掲載する必要もない。
【００２５】
（９）およそ一ヵ月毎に、最上段の葉を吊り装置１１から切り離し位置１２で切り離し、もしくは切り取り線２で切り取り、次に表面に現れた葉の下部に連結し、最下段の葉を取り外し破棄すれることで、次の一ヶ月間の使用状態を表示することができる。
【００２６】
（１０）本発明の実施例である図３、図４、図５及び図６に表記される日付は下方から上方に、過去から未来へと規則正しく断続することなく並べられているので、見やすく判り易い。将来の日付は常に現在の日付より上方に表示され、過去の日付は常に現在の日付より下方に表示されている。また、一二ヶ月先のビジネス上の締切日や予定日も同一平面状に表示されるので、その日までの残日数が一目でわかる。
このことはつまり、日付の順番を「左から右方向に記載し、次の週の日付を前の週の日付の上段に、同様に左から右方向に記載するように日付を配置したこと」と「壁掛けカレンダーの表面から第１番目の葉の上部を第２番目の葉の下部と重ね合わせたときに、日付の順番が第１番目の葉から第２番目の葉に連続して表記される」ことの効果である。
【００２７】
（１１）さらに意識の問題ではあるが、未来は上方にあるか、下方にあるかを思う時、未来は上方にあると思うのが一般的であり、本発明の壁掛けカレンダーの日付の並び方は未来に向かって並んでいるので、目標管理がしやすいカレンダーと言うことができる。
【００２８】
（１２）図６は、図５のカレンダー使用状態から、さらにもう一ヶ月分の２００８年１月のカレンダーを加えて表示した状態を表している。図５の切り取り線１２の位置で１２月の葉を切り離し、１１月と１０月の葉を連結したまま、１２月の葉を翌年の１月の葉の下部に連結することで、図６のカレンダー表示を掲示することができる。
【００２９】
（１３）従来１２月の歳末になると、今年のカレンダーと翌年のカレンダーとを二つならべて見る必要があった。図６に表すように、本発明の壁掛けカレンダーの同一タイプのものを用いることで、年越しのギャップなしに１２月から１月へと、日付を連続して見ることができる。具体的に、図６の本発明のカレンダーにおいては、１２月３０日、１２月３１日、翌年の１月１日の日付の並び方は、月が替わり年が変わっても、日付の並び方は通常の日付の並び方と同じように表示されるので、便利である。       
【図面の簡単な説明】
【００３０】
【図１】本発明の実施例の壁掛けカレンダーの斜視図
【図２】別な形態の本発明の実施例の壁掛けカレンダーの斜視図
【図３】本発明の実施例の壁掛けカレンダーの葉と葉を連結した斜視図その１
【図４】本発明の実施例の壁掛けカレンダーの葉と葉を連結した斜視図その２
【図５】本発明の実施例の壁掛けカレンダーの使用中の斜視図その１
【図６】本発明の実施例の壁掛けカレンダーの使用中の斜視図その２
【図７】本発明の実施例の壁掛けカレンダーの葉の裏側の斜視図
【図８】従来の壁掛けカレンダーの斜視図
【図９】従来の壁掛けカレンダーの葉と葉を連結した斜視図
【符号の説明】
【００３１】
１  吊り下げ用の穴
２  切り取り線
３  切り込みＡ
４  切り込みＢ
５  切り込みＡと切り込みＢが噛合った部分
６  七曜の名称
７  前月の日付
８  当月の日付
９  翌月の日付
１０  翌々月の日付
１１  別の形態の吊り装置
１２  葉の切り離し位置
１３  剥離紙付き接着剤
１４  従来の順番に表記された日付
１５  表面から第１番目の葉
１６  表面から第２番目の葉
【図１】
2009006670.tif 000003
【図２】
2009006670.tif 000004
【図３】
2009006670.tif 000005
【図４】
2009006670.tif 000006
【図５】
2009006670.tif 000007
【図６】
2009006670.tif 000008
【図７】
2009006670.tif 000009
【図８】
2009006670.tif 000010
【図９】
2009006670.tif 000011